(57)【要約】【課題】画像が印字された用紙の画像濃度が低下することを防止できるＬＥＤプリンタ装置を提供する。【解決手段】電源部２１がオフからオンに移行された場合には、ＲＡＭ３で記憶されたＬＥＤ素子の１ドットの点灯時間Ｔ１、Ｔ２のうち長い方の点灯時間Ｔ２に基づいてＣＰＵ１によりＬＥＤ素子が発光される。これにより、ＬＥＤプリンタ装置が長時間休止していた場合でも、ＬＥＤ素子の１ドットの点灯時間Ｔ２が通常の点灯時間Ｔ１よりも長くなるため、画像が印字された用紙の画像濃度が低下することを防止できる。【選択図】      図３
2007001215.tif 000002
【特許請求の範囲】
【請求項１】
１ライン分の画像に対応して直線状に配列された複数のＬＥＤ素子を１回発光させて感光体を露光することにより１ライン分の印刷を行うＬＥＤプリンタ装置であって、
オン又はオフにより前記ＬＥＤプリンタ装置を作動又は作動停止させる電源手段と、前記ＬＥＤ素子の１ドットの点灯時間について長短含めた少なくとも２種類の点灯時間を記憶する記憶手段と、前記電源手段のオン又はオフを検知するとともに前記記憶手段に記憶された点灯時間に基づいて前記ＬＥＤ素子を発光させる制御手段と、を有し、
前記電源手段がオフからオンに移行した場合には、前記記憶手段で記憶された点灯時間のうち長い方の点灯時間に基づいて前記制御手段により前記ＬＥＤ素子を発光させることを特徴とするＬＥＤプリンタ装置。
【請求項２】
印刷ジョブにより１ライン分の画像に対応して直線状に配列された複数のＬＥＤ素子を１回発光させて感光体を露光することにより１ライン分の印刷を行うＬＥＤプリンタ装置であって、
前記ＬＥＤ素子の１ドットの点灯時間について長短含めた少なくとも２種類の点灯時間を記憶する記憶手段と、印刷ジョブ間の時間を計測する計測手段と、前記記憶手段に記憶された点灯時間に基づいて前記ＬＥＤ素子を発光させる制御手段と、を有し、
前記計測手段により計測された前記印刷ジョブ間の時間が所定時間以上である場合には、前記記憶手段で記憶された点灯時間のうち長い方の点灯時間に基づいて前記制御手段により前記ＬＥＤ素子を発光させることを特徴とするＬＥＤプリンタ装置。
【請求項３】
印刷ジョブにより１ライン分の画像に対応して直線状に配列された複数のＬＥＤ素子を１回発光させて感光体を露光することにより１ライン分の印刷を行うＬＥＤプリンタ装置であって、
印刷ジョブ間の時間を計測する計測手段と、前記ＬＥＤ素子の１ドットの点灯時間と印刷ジョブ間の時間とを対応付けたテーブルを複数記憶する記憶手段と、前記記憶手段に記憶された点灯時間に基づいて前記ＬＥＤ素子を発光させる制御手段と、を有し、
前記計測手段により計測された前記印刷ジョブ間の時間と前記記憶手段に記憶された前記テーブルとに基づいて前記制御手段により前記ＬＥＤ素子を発光させることを特徴とするＬＥＤプリンタ装置。
【発明の詳細な説明】
【技術分野】
【０００１】
本発明は、スタティック駆動方式のＬＥＤアレイを使用するＬＥＤプリンタ装置に関する。
【背景技術】
【０００２】
電子写真方式における感光体への原画像の投射手法としては、大別してアナログ方式とデジタル方式とがある。アナログ方式は、原稿の画像をレンズを通して感光体上へ直接投射する手法であり、最も原始的であるが一般的な複写装置において多用されている。
【０００３】
一方、デジタル方式は、原稿の画像を走査して一旦デジタルデータに変換して、またはコンピュータシステム、ファクシミリ装置等により既に得られているデジタル画データを用いる方式である。このデジタル方式では、画データの白／黒を光のオン／オフに変換して感光体上へ投射する必要があるが、その手法としては画データの白／黒に対応してレーザビームをオン／オフさせて感光体上に投射する手法が最も一般的である。しかし、この方式では、レーザビームを感光体上へ走査するために高速で回転する多面鏡が必要なため、騒音、振動が発生すると共に、装置の小型化が困難であるという問題点がある。
【０００４】
そのような問題点を解消するために、ＬＥＤ（Ｌｉｇｈｔ  Ｅｍｉｔｔｉｎｇ  Ｄｉｏｄｅ：発光ダイオード）アレイで構成されたＬＥＤプリントヘッドを画データに対応して点灯し、その光を感光体ドラム上に投射するいわゆるＬＥＤプリンタ装置が開発され、実用化されている。
【特許文献１】特開平１１−３４２６４９号公報
【特許文献２】特開２００４−１６０７０９号公報
【特許文献３】特開平７−１３２６４３号公報
【発明の開示】
【発明が解決しようとする課題】
【０００５】
ところで、ＬＥＤプリンタ装置では、長時間休止した後に用紙に画像を印字すると、最初に、画像が印字された用紙の画像濃度が低くなるという問題がある。また、印刷ジョブ間の時間（間隔）が所定時間以上となる場合でも、後の印刷ジョブにて画像が印字される用紙の画像濃度が低くなるという問題がある。
【０００６】
そこで、本発明は、上記事情を考慮し、画像が印字された用紙の画像濃度が低下することを防止できるＬＥＤプリンタ装置を提供することを目的とする。
【課題を解決するための手段】
【０００７】
請求項１に記載の発明は、１ライン分の画像に対応して直線状に配列された複数のＬＥＤ素子を１回発光させて感光体を露光することにより１ライン分の印刷を行うＬＥＤプリンタ装置であって、オン又はオフにより前記ＬＥＤプリンタ装置を作動又は作動停止させる電源手段と、前記ＬＥＤ素子の１ドットの点灯時間について長短含めた少なくとも２種類の点灯時間を記憶する記憶手段と、前記電源手段のオン又はオフを検知するとともに前記記憶手段に記憶された点灯時間に基づいて前記ＬＥＤ素子を発光させる制御手段と、を有し、前記電源手段がオフからオンに移行した場合には、前記記憶手段で記憶された点灯時間のうち長い方の点灯時間に基づいて前記制御手段により前記ＬＥＤ素子を発光させることを特徴とする。
【０００８】
請求項１に記載の発明によれば、電源手段がオフからオンに移行された場合には、記憶手段で記憶されたＬＥＤ素子の１ドットの点灯時間のうち長い方の点灯時間に基づいて制御手段によりＬＥＤ素子が発光される。これにより、ＬＥＤプリンタ装置が長時間休止していた場合でも、ＬＥＤ素子の１ドットの点灯時間が通常よりも長くなるため、画像が印字された用紙の画像濃度が低下することを防止できる。
【０００９】
請求項２に記載の発明は、印刷ジョブにより１ライン分の画像に対応して直線状に配列された複数のＬＥＤ素子を１回発光させて感光体を露光することにより１ライン分の印刷を行うＬＥＤプリンタ装置であって、前記ＬＥＤ素子の１ドットの点灯時間について長短含めた少なくとも２種類の点灯時間を記憶する記憶手段と、印刷ジョブ間の時間を計測する計測手段と、前記記憶手段に記憶された点灯時間に基づいて前記ＬＥＤ素子を発光させる制御手段と、を有し、前記計測手段により計測された前記印刷ジョブ間の時間が所定時間以上である場合には、前記記憶手段で記憶された点灯時間のうち長い方の点灯時間に基づいて前記制御手段により前記ＬＥＤ素子を発光させることを特徴とする。
【００１０】
請求項２に記載の発明によれば、計測手段により計測された印刷ジョブ間の時間が所定時間以上である場合には、記憶手段で記憶されたＬＥＤ素子の１ドットの点灯時間のうち長い方の点灯時間に基づいて制御手段によりＬＥＤ素子が発光される。これにより、これにより、印刷ジョブ間の時間が所定時間以上である場合でも、ＬＥＤ素子の１ドットの点灯時間が通常よりも長くなるため、画像が印字された用紙の画像濃度が低下することを防止できる。
【００１１】
請求項３に記載の発明は、印刷ジョブにより１ライン分の画像に対応して直線状に配列された複数のＬＥＤ素子を１回発光させて感光体を露光することにより１ライン分の印刷を行うＬＥＤプリンタ装置であって、印刷ジョブ間の時間を計測する計測手段と、前記ＬＥＤ素子の１ドットの点灯時間と印刷ジョブ間の時間とを対応付けたテーブルを複数記憶する記憶手段と、前記記憶手段に記憶された点灯時間に基づいて前記ＬＥＤ素子を発光させる制御手段と、を有し、前記計測手段により計測された前記印刷ジョブ間の時間と前記記憶手段に記憶された前記テーブルとに基づいて前記制御手段により前記ＬＥＤ素子を発光させることを特徴とする。
【００１２】
請求項３に記載の発明によれば、計測手段により計測された印刷ジョブ間の時間と記憶手段に記憶された複数のテーブルとに基づいて制御手段によりＬＥＤ素子が発光される。これにより、印刷ジョブ間の時間を詳細に区画し、区画した時間にそれぞれ対応したＬＥＤ素子の１ドットの点灯時間を決定することができるため、印刷ジョブ間の時間に応じて、ＬＥＤ素子の１ドットの点灯時間を細かく制御することができる。この結果、印刷ジョブ間の時間（間隔）によらず、画像が印字された用紙の画像濃度を均一に保つことができる。
【発明の効果】
【００１３】
本発明によれば、画像が印字された用紙の画像濃度が低下することを防止できる。
【発明を実施するための最良の形態】
【００１４】
次に、本発明の一実施形態に係るＬＥＤプリンタ装置について、図面を参照して説明する。図１は、本発明に係るＬＥＤプリンタ装置をファクシミリ装置に適用した場合の実施形態の一構成例を示すブロック図である。
【００１５】
図１に示すように、ファクシミリ装置の制御部及びＬＥＤプリンタ装置である記録部９における感光体ドラムへの露光量の制御手段として機能するＣＰＵ（中央処理装置）１は、バス１００を介してモデム５、回線制御部（ＮＣＵ）４に接続されている。ＮＣＵ４は、ＣＰＵ１により制御されて、回線Ｌとこのファクシミリ装置との接続を制御すると共に、通信相手の電話番号に応じたダイヤルパルスを送出する機能及び着信を検出する機能を有している。また、ＣＰＵ１は、記録部９の電源部２１のオン又はオフを検知する。また、ＣＰＵ１は、ＲＡＭ３に記憶された後述のＬＥＤ素子の１ドットの点灯時間に基づいてＬＥＤ素子を発光制御する。ここで、ＲＡＭ３にＬＥＤ素子の１ドットの点灯時間が複数記憶されている場合には、ＣＰＵ１は状況に応じてＬＥＤ素子を発光制御する。すなわち、電源部２１がオフからオンに移行された場合には、ＣＰＵ１は、ＲＡＭ３に記憶されたＬＥＤ素子の１ドットの点灯時間のうち長い方の点灯時間に基づいてＬＥＤ素子を発光制御する。また、タイマ２２により計測された印刷ジョブ間の時間が所定時間以上である場合には、ＣＰＵ１は、ＲＡＭ３に記憶されたＬＥＤ素子の１ドットの点灯時間のうち長い方の点灯時間に基づいてＬＥＤ素子を発光制御する。
【００１６】
なお、回線Ｌは、図示しない一般公衆電話回線に接続されている。モデム５は、送受信データの変復調、具体的に送信データを音声信号に変調してＮＣＵ４を介して回線Ｌへ送出し、また逆に回線ＬからＮＣＵ４を介して受信した音声信号をデジタル信号に復調する。
【００１７】
バス１００には、原稿を読み取る読取部６、画像メモリ７、コーデック（ＣＯＤＥＣ）８、ＬＥＤプリンタ装置である記録部９、操作部１０、所定の情報を表示する表示部１１、プリンタ制御部２０、電源部２１、タイマ２２等が接続されている。
【００１８】
読取部６は、コーデック８を介してバス１００と接続されている。読取部６は、例えばＣＣＤイメージセンサ等で構成されており、原稿画像の読み取りを行う。コーデック８は、読取部６が原稿を読み取った結果の白／黒を表すデジタル信号をファクシミ方式の圧縮データに符号化する。
【００１９】
画像メモリ７は、読取部６が読み取ったコーデック８からの符号データを記憶し、また回線Ｌ及びモデム５を介してファクシミリ装置の外部から受信した符号データを記憶する。
【００２０】
コーデック（ＣＯＤＥＣ）９１は、前記コーデック８とは逆に、画像メモリ７から読み出された符号データを元の画データに順次的に復号して白／黒を表すシリアルのデジタル信号に変換する。この白／黒を表すシリアルのデジタル信号は記録部９に与えられる。
【００２１】
記録部９は、受信画データまたは読取部６が読み取った画データに基づいてＬＥＤプリントヘッド８０を発光させることにより感光体ドラム２３を露光させ、この露光部分に付着させたトナーを記録紙（用紙）上に転写して熱定着させることにより印刷してハードコピー出力を行う。
【００２２】
操作部１０は、電話番号等の数字を入力するためのテンキー、ワンタッチキー、短縮キー、種々の動作を指示するための操作キー等を備えている。なお、図１にし示されていないが、操作部１０の操作に基づいて入力された電話番号等の種々の情報をソフトコピー出力して表示するＣＲＴディスプレイまたはＬＣＤ（液晶表示装置）等の表示装置も備えられている。
【００２３】
プリンタ制御部２０は、ＣＰＵ１からの指示を受けて記録部９、即ちＬＥＤプリンタ装置の制御を司る。具体的には、ＣＰＵ１から所定の制御信号が与えられると、その制御信号に従って記録部９を動作させるためのストローブ信号ＳＴＲ１〜ＳＴＲ４を出力する。
【００２４】
電源部２１は、オンによりＬＥＤプリンタ装置を含めたファクシミリ装置を作動させ、オフによりその作動を停止させる。
【００２５】
タイマ２２は、用紙に画像を印字（印刷）するときの印刷ジョブ間の時間（間隔）を計測する。
【００２６】
ＣＰＵ１には、バス１００を介してＲＯＭ（Ｒｅａｄ  Ｏｎｌｙ  Ｍｅｍｏｒｙ）２と、ＣＰＵ１による制御に必要なデータ、あるいは動作時に一時記憶が必要なデータ等を記憶するための記憶手段として機能するＲＡＭ（Ｒａｎｄｏｍ  Ａｃｃｅｓｓ  Ｍｅｍｏｒｙ）３と、が接続されている。
【００２７】
ＲＯＭ２には、ＬＥＤプリンタ装置である記録部９を含むこのファクシミリ装置全体の動作を制御するためのプログラム等が予め記憶されている。
【００２８】
ＲＡＭ３には、ＬＥＤ素子の１ドットの点灯時間を示すデータが記憶されている。具体的には、ＲＡＭ３には、ＬＥＤ素子の１ドットの点灯時間として、比較的短い時間である点灯時間Ｔ１と、点灯時間Ｔ１よりも長い時間である点灯時間Ｔ２（Ｔ２＞Ｔ１）と、がそれぞれデータとして記憶されている。
【００２９】
次に、本発明のＬＥＤプリンタ装置である記録部９について、図１を参照して説明する。
【００３０】
記録部９はコーデック９１を介してバス１００に接続されている。記録部９には画像メモリ７から供給されるファクシミリ符号データがコーデック９１により順次的に復号されてシリアル出力され、２値の画データＤＡＴＡとして供給される。
【００３１】
シフトレジスタ９２は、ビデオクロックＶＣＬＯＣＫをシフトクロックとしてコーデック９１から１ライン分の画データＤＡＴＡをシリアル入力し、ビデオクロックＶＣＬＯＣＫに基づいて画データＤＡＴＡを順次的にシフトして一旦記憶する。この後、次の水平同期信号ＨＳＹＮＣに同期してシフトレジスタ９２は記憶した画データＤＡＴＡをラッチ回路９３に対してパラレル出力する。
【００３２】
ラッチ回路９３は、本実施形態では４分割されており、それぞれの部分９３１、９３２、９３３、９３４を構成する個々のラッチの出力はＡＮＤゲート７１、７２、７３、７４（図１にはそれぞれ１個のみ示されているが、実際にはラッチ回路９３の各部分９３１、９３２、９３３、９３４を構成するラッチの個数ずつが配列されている）を経由してＬＥＤプリントヘッド８０を構成するそれぞれのＬＥＤ素子に入力されている。なお、ＬＥＤプリントヘッド８０もラッチ回路９３に対応して４つの部分８１、８２、８３、８４に分割されている。
【００３３】
各ＡＮＤゲート７１、７２、７３、７４には、プリンタ制御部２０から出力されているストローブ信号ＳＴＲ１、ＳＴＲ２、ＳＴＲ３、ＳＴＲ４が入力されている。従って、それぞれのストローブ信号ＳＴＲ１、ＳＴＲ２、ＳＴＲ３、ＳＴＲ４が有意（図１に示されている例では１）である場合にラッチ回路９３の各部分９３１、９３２、９３３、９３４にラッチされている個々の画データＤＡＴＡがＡＮＤゲート７１、７２、７３、７４からそのまま出力されてＬＥＤプリンタヘッド８０に入力されることになる。
【００３４】
感光体ドラム２３は、ＬＥＤプリントヘッド８０に対して対向配置されている。以下、上述のようなファクシミリ装置の記録部９、即ち本発明のＬＥＤプリンタ装置の動作について、図２に示されているタイミングチャートを参照して説明する。
【００３５】
記録部９によるプリントを行う場合は、まずＣＰＵ１からプリンタ制御部２０へ所定の制御信号が与えられる。この制御信号に基づいて、図２（ａ）に示されているように、プリンタ制御部２０は水平同期信号ＨＳＹＮＣを周期的に発生する。また、この水平同期信号ＨＳＹＮＣをトリガとして、画像メモリ７からは１回の水平同期信号ＨＳＹＮＣの発生毎に１ライン分の符号化された画データが出力され、図２（ｂ）に示されているように、コーデック９１で復号されつつシリアル出力される。そして、図２（ｃ）に示されているように、次の水平同期信号ＨＳＹＮＣのタイミングでラッチ回路９３にラッチされる。
【００３６】
一方、プリンタ制御部２０は、図２（ｄ）、（ｅ）、（ｆ）、（ｇ）にそれぞれ示されているように、水平同期信号ＨＳＹＮＣに同期してストローブ信号ＳＴＲ１、ＳＴＲ２、ＳＴＲ３、ＳＴＲ４をオーバラップしないタイミングで順次的に発生する。
【００３７】
まず、ストローブ信号ＳＴＲ１がプリンタ制御部２０から出力されるとそれがＡＮＤゲート７１に入力されるので、ラッチ回路９３の第１の部分９３１にラッチされている各画素のデータがＬＥＤプリントヘッド８０の第１の部分８１を構成する各ＬＥＤ素子に入力される。次に、ストローブ信号ＳＴＲ２がプリンタ制御部２０から出力されるとそれがＡＮＤゲート７２に入力されるので、ラッチ回路９３の第２の部分９３２にラッチされている各画素のデータがＬＥＤプリントヘッド８０の第２の部分８２を構成する各ＬＥＤ素子に入力される。次に、ストローブ信号ＳＴＲ３がプリンタ制御部２０から出力されるとそれがＡＮＤゲート７３に入力されるので、ラッチ回路９３の第３の部分９３３にラッチされている各画素のデータがＬＥＤプリントヘッド８０の第３の部分８３を構成する各ＬＥＤ素子に入力される。次に、ストローブ信号ＳＴＲ４がプリンタ制御部２０から出力されるとそれがＡＮＤゲート７４に入力されるので、ラッチ回路９３の第４の部分９３４にラッチされている各画素のデータがＬＥＤプリントヘッド８０の第４の部分８４を構成する各ＬＥＤ素子に入力される。
【００３８】
以上のようにして、ラッチ回路９３にラッチされている１ライン分のすべての画データＤＡＴＡがＬＥＤプリントヘッド８０に入力されて個々のＬＥＤ素子が信号“１”に対応して発光することによりＬＥＤプリントヘッド８０に対向配置された感光体ドラム２３上に１ライン分の静電潜像が形成される。
【００３９】
次に、ＬＥＤプリンタ装置の制御方法を図３のフローチャートを参照して説明する。
【００４０】
図３に示すように、用紙に画像を印刷するときなどには、電源部２１がオフからオンに移行される（Ｓ１００）。次に、印刷ジョブが実行されたか否かがＣＰＵ１により判断される（Ｓ１２０）。印刷ジョブが実行されたとＣＰＵ１により判断されると、ＲＡＭ３に記憶されたＬＥＤ素子の１ドットの点灯時間Ｔ１、Ｔ２のうち、点灯時間Ｔ２が選択・設定される（Ｓ１４０）。
【００４１】
次に、ＣＰＵ１により印刷ジョブが実行される（Ｓ１６０）。このとき、ＬＥＤ素子の１ドットの点灯時間Ｔ２に基づいてＬＥＤ素子が発光される。そして、ＬＥＤ素子からの発光が終了すると、印刷ジョブが終了する（Ｓ１８０）。
【００４２】
次に、ＣＰＵ１により次の印刷ジョブが実行されたか否かが判断される（Ｓ２００）。ＣＰＵ１により次の印刷ジョブが実行されたと判断されると、タイマ２２で計測された各印刷ジョブ間の時間（間隔）が所定の時間以上か否かがＣＰＵ１により判断される（Ｓ２２０）。
【００４３】
タイマ２２で計測された各印刷ジョブ間の時間（間隔）が所定の時間以上であるとＣＰＵ１により判断されると、Ｓ１４０の直前に戻り、ＲＡＭ３に記憶されたＬＥＤ素子の１ドットの点灯時間Ｔ１、Ｔ２のうち、点灯時間Ｔ２が選択・設定される（Ｓ１４０）。そして、ＣＰＵ１により印刷ジョブが実行され（Ｓ１６０）、ＬＥＤ素子の１ドットの点灯時間Ｔ２に基づいてＬＥＤ素子が発光される。ＬＥＤ素子からの発光が終了すると、印刷ジョブが終了する（Ｓ１８０）。
【００４４】
一方、タイマ２２で計測された各印刷ジョブ間の時間（間隔）が所定の時間以上ではないとＣＰＵ１により判断されると、ＲＡＭ３に記憶されたＬＥＤ素子の１ドットの点灯時間Ｔ１、Ｔ２のうち、点灯時間Ｔ１が選択・設定される（Ｓ２４０）。そして、ＣＰＵ１により印刷ジョブが実行され（Ｓ１６０）、ＬＥＤ素子の１ドットの点灯時間Ｔ１に基づいてＬＥＤ素子が発光される。ＬＥＤ素子からの発光が終了すると、印刷ジョブが終了する（Ｓ１８０）。
【００４５】
以上のように、電源部２１がオフからオンに移行された場合には、ＲＡＭ３で記憶されたＬＥＤ素子の１ドットの点灯時間Ｔ１、Ｔ２のうち長い方の点灯時間Ｔ２に基づいてＣＰＵ１によりＬＥＤ素子が発光させられる。これにより、ＬＥＤプリンタ装置が長時間休止していた場合でも、ＬＥＤ素子の１ドットの点灯時間Ｔ２が通常の点灯時間Ｔ１よりも長くなるため、画像が印字された用紙の画像濃度が低下することを防止できる。
【００４６】
また、タイマ２２により計測された印刷ジョブ間の時間が所定時間以上である場合には、ＲＡＭ３で記憶されたＬＥＤ素子の１ドットの点灯時間Ｔ１、Ｔ２のうち長い方の点灯時間Ｔ２に基づいてＣＰＵ１によりＬＥＤ素子が発光させられる。これにより、これにより、印刷ジョブ間の時間が所定時間以上である場合でも、ＬＥＤ素子の１ドットの点灯時間Ｔ２が通常の点灯時間Ｔ１よりも長くなるため、画像が印字された用紙の画像濃度が低下することを防止できる。
【００４７】
次に、ＬＥＤプリンタ装置の変形例について説明する。
【００４８】
図１のＲＡＭ３に、ＬＥＤ素子の１ドットの点灯時間と各印刷ジョブ間の時間とを対応付けたテーブルを複数記憶させておき、タイマ２２により計測された印刷ジョブ間の時間とＲＡＭ３に記憶されたテーブルとに基づいてＣＰＵ１によりＬＥＤ素子を発光制御させてもよい。
【００４９】
この変形例によれば、印刷ジョブ間の時間を詳細に区画し、区画した時間にそれぞれ対応したＬＥＤ素子の１ドットの点灯時間を決定することができるため、印刷ジョブ間の時間に応じて、ＬＥＤ素子の１ドットの点灯時間を細かく制御することができる。この結果、印刷ジョブ間の時間（間隔）によらず、用紙の画像濃度を均一に保つことができる。
【図面の簡単な説明】
【００５０】
【図１】本発明に係るＬＥＤプリンタ装置をファクシミリ装置に適用した場合の一実施形態を示すブロック図である。
【図２】本発明に係るＬＥＤプリンタ装置の動作説明をするためのタイミングチャートである。
【図３】本発明に係るＬＥＤプリンタ装置の制御方法を示すフローチャートである。
【符号の説明】
【００５１】
１      ＣＰＵ（制御手段）
３      ＲＡＭ（記憶手段）
９      記録部（ＬＥＤプリンタ装置）
２１    電源部（電源手段）
２２    タイマ（計測手段）
【図１】
2007001215.tif 000003
【図２】
2007001215.tif 000004
【図３】
2007001215.tif 000005